(57)【要約】【課題】インクを充填させるラインを選択し、選択したラインのバルブのみ開弁することで、初期インク充填時におけるインクの無駄な流出を軽減できるインクジェットプリンタとインク供給方法を提供する。【解決手段】インクを印刷媒体に吐出するプリンタヘッド１００と、ノズルに供給するインクが貯留されたカートリッジ１１０と、カートリッジ１１０とプリンタヘッド１００のノズルの接続部を開閉する供給バルブ１５５と、カートリッジ１１０からノズルにインクを供給するポンプと、供給バルブ１５５の開閉を行いカートリッジ１１０からのインクの供給を制御するコントロールユニット１２０と、対象のノズルを選択する操作パネル１２１を備え、コントロールユニット１２０が、操作パネル１２１により選択されたノズルに接続された供給バルブ１５５を開閉させ、選択されたノズルにインクが供給されるように制御する。【選択図】  図１１
2010058339.tif 000002
【特許請求の範囲】
【請求項１】
複数のノズルから液体インクを吐出し印刷媒体に印刷を施す複数のプリンタヘッドと、
前記各ノズルに供給する液体インクが貯留された少なくとも１つのカートリッジと、
前記カートリッジと前記プリンタヘッドの各ノズルの接続部を開閉する複数のバルブと、
前記カートリッジから各ノズルに液体インクを供給するインク供給手段と、
前記バルブの開閉をそれぞれ独立で行い、前記各カートリッジから前記各ノズルへの液体インクの供給を制御するバルブ制御手段とを備えたインクジェットプリンタにおいて、
液体インクを供給する対象のノズルを選択する選択手段を備え、
前記バルブ制御手段が、前記選択手段により選択されたノズルに接続されたバルブを開閉させ、前記選択されたノズルにのみ液体インクが供給されるように制御することを特徴とするインクジェットプリンタ。
【請求項２】
前記選択手段は、各種メニューを表示する表示部と、
前記表示部に表示されたメニューを選択入力させる選択入力部とを備え、
前記表示部に各ノズルを液体インクの供給対象とするか否かを設定する設定選択画面が表示された後、前記選択入力部から、いずれのノズルを液体インクの供給対象とするかについての情報が入力されたときに、
前記選択手段が、前記バルブ制御手段に、選択されたノズルに接続されたバルブのみを開閉させることを特徴とする請求項１に記載のインクジェットプリンタ。
【請求項３】
前記バルブ制御手段は、前記選択手段により液体インクの供給対象とするノズルが選択されたときに、
選択されたノズルの数に応じてバルブ開弁時間を算出し、
前記バルブ開弁時間だけ前記ノズルに接続されたバルブを開弁させることを特徴とする請求項１または２に記載のインクジェットプリンタ。
【請求項４】
前記バルブ制御手段は、前記選択されたノズルに接続されたバルブを開弁し、
前記バルブ開弁時間が経過した後、全てのバルブを所定時間の間だけ開弁し、前記プリンタヘッドのノズルをクリーニングすることを特徴とする請求項１〜３のいずれかに記載のインクジェットプリンタ。
【請求項５】
請求項１〜４のいずれかに記載のインクジェットプリンタを用いて行うインク供給方法であって、
前記選択手段が、液体インクを供給するノズルを選択するための選択操作を受け付けるユーザ入力ステップと、
前記バルブ制御手段が、前記ノズルに接続されたバルブを開閉し、前記カートリッジから前記ノズルへの液体インクの供給を制御するインク供給ステップとを備え、
前記バルブ制御手段が、前記選択手段により選択されたノズルに接続されたバルブを開閉し、前記選択されたノズルにのみ液体インクが供給されるように制御することを特徴とするインク供給方法。
【発明の詳細な説明】
【技術分野】
【０００１】
本発明は、インクジェットプリンタおよびそのインクジェットプリンタを用いたインク供給方法に関する。
【背景技術】
【０００２】
インクジェットプリンタは、多数のノズルが形成されたプリンタヘッドを印刷媒体に対して相対移動させながらノズルから液体インクの微粒子を吐出して印刷媒体に塗着させ、印刷面に文字や図形、模様、写真等の情報を印刷する装置である。インクジェットプリンタでは、吐出に応じて液体インクが消費されるため、用途に応じた容量のカートリッジがプリンタヘッドのキャリッジまたはプリンタ本体に設けられる。商業用の大判広告やのぼり等を印刷する大型のインクジェットプリンタでは、大量の液体インクが比較的短時間のうちに消費される。このため、このような商業用のインクジェットプリンタでは、一般的に、大容量のカートリッジがプリンタ本体に設けられ、カートリッジとプリンタヘッドがチューブ等により接続されて、液体インクの吐出に応じてカートリッジからプリンタヘッドのノズルに供給されるように構成される。
【０００３】
ここで、このようなインクジェットプリンタでは、カートリッジの液体インクの貯留量によって液体インクの水位が異なり水頭圧が変化するため、安定したプリンタヘッドの吐出性能維持が困難となる問題があった。また、プリンタヘッドからの液体インクの液垂れを防ぐためにプリンタヘッドをインクタンクよりも幾分高い位置に設置することが必要になるが、インクジェットプリンタの限られた空間内においては、スペース的に大型のインクタンクを適切に配置できるとは限らない。そこで、インクタンクの設置の自由度を増すべく、インクタンクとプリンタヘッドとの間にサブタンクを介設し、サブタンクにより上記の水頭圧を確保する方法が考えられる。
（例えば、特許文献１を参照）。
【特許文献１】特開２００３−１７０６０７
【発明の開示】
【発明が解決しようとする課題】
【０００４】
しかしながら、上述したようなインクジェットプリンタの場合、液体インクをプリンタヘッドのノズル、サブタンクに対し供給する際に、全てのライン（プリンタヘッドのノズルとサブタンク）に液体インクの供給を行うため、部品が故障し部品交換を行ったような場合、部品交換をした後、部品交換後のラインにのみ液体インクの初期充填を行えばよいところ、全てのラインに液体インクの充填を行うため、不要なラインにも液体インクの充填を行うことになる。このように、部品を交換した直後のような初期インク充填時に余分な液体インクが流出し、液体インクが無駄になってしまうという課題があった。
【０００５】
本発明は、上記のような課題に鑑みてなされたものであり、初期インク充填時に全てのラインに液体インクを充填させることなく、あらかじめ液体インクを充填させるラインを選択し、その選択したラインにのみ液体インクの充填を行うことで液体インクの無駄な流出を軽減できるインクジェットプリンタを提供することを目的とする。
【課題を解決するための手段】
【０００６】
上記目的を達成するために、本発明に係るインクジェットプリンタは、複数のノズルから液体インクを吐出し印刷媒体に印刷を施す複数のプリンタヘッドと、各ノズルに供給する液体インクが貯留された少なくとも１つのカートリッジと、カートリッジとプリンタヘッドの各ノズルの接続部を開閉する複数のバルブと、カートリッジから各ノズルに液体インクを供給するインク供給手段と、バルブの開閉をそれぞれ独立で行い、各カートリッジから各ノズルへの液体インクの供給を制御するバルブ制御手段（例えば、実施形態におけるコントロールユニット１２０）とを備えたインクジェットプリンタにおいて、液体インクを供給する対象のノズルを選択する選択手段（例えば、実施形態における操作パネル１２１）を備え、バルブ制御手段が、選択手段により選択されたノズルに接続されたバルブを開閉させ、選択されたノズルに液体インクが供給されるように制御するように構成される。
【０００７】
また、上記インクジェットプリンタにおいて、選択手段は、各種メニューを表示する表示部（例えば、実施形態におけるウインドウ１２２）と、表示部に表示されたメニューを選択入力させる選択入力部（例えば、実施形態におけるエンターボタン１２５、上移動ボタン１２７、左移動ボタン１２８、下移動ボタン１２９、右移動ボタン１３０）とを備えた構成が望ましい。そして、表示部に各ノズルを液体インクの供給対象とするか否かを設定する設定選択画面が表示された後、選択入力部から、いずれのノズルを液体インクの供給対象とするかについての情報が入力されたときに、選択手段が、バルブ制御手段に、選択されたノズルに接続されたバルブのみを開閉させることが好ましい。
【０００８】
さらに、上記インクジェットプリンタにおいて、バルブ制御手段は、選択手段により液体インクの供給対象とするノズルが選択されたときに、選択されたノズルの数に応じてバルブ開弁時間を算出し、バルブ開弁時間だけノズルに接続されたバルブを開弁させることが好ましい。
【０００９】
また、上記インクジェットプリンタにおいて、バルブ制御手段は、選択されたノズルに接続されたバルブを開弁し、バルブ開弁時間が経過した後、全てのバルブを所定時間の間だけ開弁し、プリンタヘッドのノズルをクリーニングすることが好ましい。  
【００１０】
また、前記課題を解決するために、本発明に係るインク供給方法は、上述のインクジェットプリンタを用いて行うインク供給方法であって、選択手段が、液体インクを供給するノズルを選択するための選択操作を受け付けるユーザ入力ステップと、バルブ制御手段が、ノズルに接続されたバルブを開閉し、カートリッジからノズルへの液体インクの供給を制御するインク供給ステップとを備えている。そして、バルブ制御手段が、選択手段により選択されたノズルにのみ接続されたバルブを開閉し、選択されたノズルにのみ液体インクが供給されるように制御する。
【発明の効果】
【００１１】
本発明に係るインクジェットプリンタにおいて、液体インクの初期インク充填時に、選択手段により選択したバルブのみを開弁できるようにすることにより、選択したサブタンク、プリンタヘッドのノズルにのみインクを供給することができる。よって、インクの供給が不要なサブタンク、プリンタヘッドのノズルにまでインクを供給することがなくなるため、初期インク充填時に無駄となるインクを削減できインクを有効に使用することができる。
【００１２】
また、本発明に係るインクジェットプリンタにおいては、バルブ開弁時間が経過した後に全てのサブタンクのバルブを開弁し、プリンタヘッドのノズル等のクリーニングを実行することで、液体インクの供給による負圧状態が引き起こす逆流による混色を防ぐことができる。
【発明を実施するための最良の形態】
【００１３】
以下、図面を参照しながら本発明の好ましい実施形態について説明する。本発明を適用したインクジェットプリンタ（以下、プリンタ装置と称する）の一例として、印刷対象面に沿った直交二軸のうち、一軸を印刷媒体移動、他の一軸をプリンタヘッド移動としたタイプを採り上げ、紫外線の照射を受けて硬化する紫外線硬化型のインク（いわゆるＵＶインク）を使用するＵＶ硬化インクジェットプリンタ（以下、プリンタ装置と称する）に適用した構成例について説明する。本実施形態のプリンタ装置Ｐを斜め前方から見た斜視図を図１に示し、斜め後方から見た斜視図を図２に示すとともに、このプリンタ装置Ｐにおける装置本体１の要部構成を図３に示しており、まず、これらの図面を参照してプリンタ装置Ｐの全体構成について概要説明する。なお、以降の説明では、図１中に付記する矢印Ｆ，Ｒ，Ｕの指す方向を、それぞれ前方、右方、上方と称して説明する。
【００１４】
プリンタ装置Ｐは、多数のノズルが形成されたプリンタヘッド１００を、塩ビシートやターポリン、ポリエステルフィルム等のシート状の印刷媒体Ｍ（メディアとも称される）に対して相対移動させながらノズルからインクの微粒子を吐出して、印刷対象面に文字や図形、模様、写真等の情報を印刷する装置である。プリンタ装置Ｐは、大別的には、印刷機能を果たす装置本体１、装置本体１を支持する支持部２の後側に設けられてロール状に巻かれた未印刷状態の印刷媒体Ｍを送り出す送り出し機構３、支持部２の前側に設けられて印刷が終了した印刷媒体Ｍを巻き取る巻き取り機構４などから構成される。
【００１５】
装置本体１は、躯体を形成するボディ１０の上下中間部に印刷媒体Ｍを前後に挿通させる横長窓状のメディア挿通部６が形成され、このメディア挿通部６の下側に位置する下側ボディ１０Ｌに、印刷媒体Ｍを支持するプラテン５、およびプラテン５に支持された印刷媒体Ｍを前後に移動させるメディア移動機構７が設けられ、メディア挿通部６の上側に位置する上部ボディ１０Ｕにプリンタヘッド１００を保持するキャリッジ２０、およびキャリッジ２０を左右に移動させるキャリッジ移動機構３０が設けられている。装置本体１には、メディア移動機構７による印刷媒体Ｍの前後移動、キャリッジ移動機構３０によるキャリッジ２０の左右移動、プリンタヘッド１００によるインクの吐出、カートリッジ１１０からのインクの供給など、プリンタ装置Ｐの各部の作動を制御するコントロールユニット１２０が設けられ、操作パネル１２１が装置本体１の前面に配設されている。
【００１６】
キャリッジ２０は、上部ボディ１０Ｕに取り付けられたガイドレール２１に、スライドブロック（不図示）を介して左右に移動自在に支持されており、後述するキャリッジ駆動機構３０により駆動される。キャリッジ２０には、ＵＶインクを吐出するプリンタヘッド１００が設けられている。
【００１７】
キャリッジ２０の左右側部に、プリンタヘッド１００から印刷媒体Ｍに吐出されたＵＶインクに紫外光を照射して硬化させるＵＶ光源が設けられている。ＵＶ光源は、キャリッジ２０の左端部に設けられた左ＵＶ光源８Ｌと、キャリッジ２０の右側部に設けられた右ＵＶ光源８Ｒとからなり、これら左右のＵＶ光源８Ｌ，８Ｒがキャリッジ２０に設けられたプリンタヘッド１００を左右外側から挟み込むように配設される。左ＵＶ光源８Ｌおよび右光源８Ｒは、波長λ＝１１０〜３８０ｎｍ程度の紫外光を出射する光源、例えば、ＵＶランプやＵＶ−ＬＥＤ等を用いて構成される。左右のＵＶ光源８Ｌ，８Ｒの点灯・消灯は、キャリッジ移動機構３０によるキャリッジ２０の移動およびプリンタヘッド１００からのインク吐出に応じて、コントロールユニット１２０により制御される。
【００１８】
キャリッジ移動機構３０は、ガイドレール２１を挟んでボディ１０の左右側部に設けられた駆動プーリ３１および従動プーリ３２と、駆動プーリ３１を回転駆動するキャリッジ駆動モータ３３、駆動プーリ３１と従動プーリ３２との間に巻き掛けられた無端ベルト状のタイミングベルト３４などから構成される。キャリッジ２０はタイミングベルト３４に連結固定されており、キャリッジ駆動モータ３３を回転駆動させることにより、ガイドレール２１に支持されたキャリッジ２０が、キャリッジ駆動モータ３３の回転角度（コントロールユニット１２０から出力される駆動制御値）に応じた移動量でプラテン５の上方を左右に移動される。
【００１９】
プリンタヘッド１００は、図４に示すように、キャリッジ２０上に左右に並んで配設して構成される。また、シアン（Ｃ）、マゼンダ（Ｍ）、イエロー（Ｙ）、ブラック（Ｋ）の基本４色のインクについて、各色２本ずつの合計８本のカートリッジ１１０を使用するプリンタ装置Ｐの場合には、図５に示すように、各カートリッジ１１０に対応した８個のプリンタヘッド１００が設けられる。なお、キャリッジ２０には、後に詳述する８個のサブタンク１５０が各プリンタヘッド１００に対応して設けられている。
【００２０】
コントロールユニット１２０は、各部操作スイッチが設けられた操作パネル１２１、操作パネル１２１等から入力された操作信号等について演算処理を行い、制御プログラムに従って各部の作動を制御する演算処理部等を備え、メディア移動機構７による印刷媒体Ｍの前後移動、キャリッジ移動機構３０によるキャリッジ２０の左右移動、プリンタヘッド１００の各ノズルからのインク吐出、カートリッジ１１０によるインクの供給等を制御する。
【００２１】
コントロールユニット１２０に読み込まれた印刷プログラムに基づいて印刷媒体Ｍに印刷を行う場合において、メディア移動機構７による印刷媒体の前後移動と、キャリッジ移動機構３０によるキャリッジ２０の左右移動とを組み合わせて印刷媒体Ｍとプリンタヘッド１００とを相対移動させ、各プリンタヘッド１００から印刷媒体Ｍにインクを吐出させるとともに、キャリッジ２０の移動方向後方に位置するＵＶ光源（例えば、キャリッジ右動時には左ＵＶ光源８Ｌ）を点灯させて、印刷プログラムに応じた情報を印刷する。
【００２２】
操作パネル１２１は、図８に示すように、ウインドウ１２２、プリンタ装置Ｐの運転を開始させる運転ボタン１２３、プリンタ装置Ｐの運転を停止させる停止ボタン１２４、プリンタ装置Ｐの設定変更内容を確定させる際に押下するエンターボタン１２５、また、音声案内による音が出力されるスピーカ１２６、ウインドウ１２２に表示された入力操作可能な位置を示す下線や記号で表わされるカーソルを上方向に移動させる上移動ボタン１２７、左方向に移動させる左移動ボタン１２８、下方向に移動させる下移動ボタン１２９、右方向に移動させる右移動ボタン１３０等により構成される。
【００２３】
カートリッジ１１０は、図５に示すように、このプリンタ装置Ｐにおける単位時間当たりのインク消費量に応じた容量のインクを貯留し得るように設定される。本実施形態では、シアン（Ｃ）、マゼンダ（Ｍ）、イエロー（Ｙ）、ブラック（Ｋ）の４色をそれぞれ２本ずつ合計８本の各色５００ｍｌ程度の容量のカートリッジ１１０を用い、本実施形態では、これらのカートリッジ１１０を装置本体１の背面に着脱可能に配設した構成例を示す（図２を参照）。
【００２４】
また、サブタンク１５０は、図６に示すように、一側方に開口し、側面視において、上下に長い薄型矩形の本体部材１５１と、この本体部材１５１の開口部を覆って閉止される蓋部材１５２、蓋部材１５２の閉止によって形成されるタンク内部にインクを貯留するインク貯留室１５３、このインク貯留室１５３と連通し、インク貯留室１５３の後部において上下に延びるフロート収容部１５４、インク貯留室１５３に流入するインクの量を制御する供給バルブ１５５、インクの貯留状態を検出するサブタンク貯留検出部１６０等で構成されている。サブタンク１５０は、本体部材１５１の開口縁面にシーラントまたは接着剤を塗布して蓋部材１５２を閉止することにより一体に接着されるとともにネジ等の締結手段（不図示）により強固に結合され、インク貯留室１５３が密閉状態に保持されている。また、フロート収容部１５４には、中心部にマグネット１６４ａ（後に詳述）が固着されインクに浮揚する円盤状のフロート１６４（後に詳述）が上下移動自在に収容される。蓋部材１５２および本体部材１５１の少なくとも一方は、透明または半透明の材料を用いて形成される。このため、インク貯留室１５３のＵＶインクの貯留状態、およびフロート１６４の浮遊状態等を外部から目視確認可能に構成される。なお、サブタンク１５０とカートリッジ１１０の接続部に図示しないポンプが配設され、コントロールユニット１２０がこのポンプを回転制御することにより、カートリッジ１１０からサブタンク１５０にインクが流入される。
【００２５】
サブタンク貯留検出部１６０は、上下に延びて形成されたフロート収容部１５４に上下自在に収容されてインク貯留室１５３のインクの液面と共に上下移動するフロート１６４と、このフロート１６４の中心部に固着されたマグネット１６４ａ、またマグネット１６４ａによる磁気を検出する磁気センサ１６６が実装された液面検出基板１６５等から構成される。
【００２６】
また、サブタンク貯留検出部１６０において、本体部材１５１の後方壁に上下に延びる蟻溝状の基板装着部１６１が形成されており、この基板装着部１６１に液面検出基板１６５が装着固定されると、液面検出基板１６５は後方壁を挟んでフロート１６４と対向配置され、フロート１６４に固着されたマグネット１６４ａの磁気を磁気センサ１６６で検出することにより、フロート１６４の高さ位置、すなわちインク貯留室１５３に貯留されたインクの液面の高さを検出可能な状態に構成されている。
【００２７】
本実施形態では、基板装着部１６１に液面検出基板１６５が装着固定されて、液面検出基板１６５に実装された複数の磁気センサ１６６が上下に並んで位置することにより、液面検出基板１６５がインク貯留室１５３のインクの液面高さ位置を細かく検出可能としている。なお、磁気センサ１６６として、インク貯留室１５３にインクが充填されてインクの液面が充填基準高さであることを検出するインクハイ検出センサ１６６Ｈと、所定量以下であることを検出するインクロー検出センサ１６６Ｌの２つを液面検出基板１６５に実装し、インクハイ検出センサ１６６Ｈにより出力されたインクハイ検出信号と、インクロー検出センサ１６６Ｌにより出力されたインクロー検出信号が、コントロールユニット１２０に入力されるよう構成されている。
【００２８】
また、コントロールユニット１２０には、部品交換後等にインクの初期充填をする際に選択したノズルにインクを充填する場合に備え、図１２に示すように、あらかじめ開放するバルブの数とバルブを開放する計時時間とを対応づけたテーブル１８０が登録されている。
【００２９】
以上のように構成されるプリンタ装置Ｐにおいて、以下でプリンタヘッド１００へのインクの供給方法について説明する。なお、これまでの説明から明らかなように、インクの供給系については４つの系統（Ｃ，Ｍ，Ｙ，Ｋ）について同様であるため、各系統に共通する事項については、これらの添え字を省略して説明する。
【００３０】
（通常のインク供給時の制御）
インク貯留室１５３に貯留されたインクが印刷プログラムの実行等によりプリンタヘッド１００のノズルから吐出され、インクが徐々に減少し、インク貯留室１５３に貯留されたインクが所定量以下になった場合のインク供給（以下、通常のインク供給とする）について、図７を参照しながら説明する。なお、通常のインク供給はプリンタ装置Ｐにより自動的に実行される。
【００３１】
上記インクの供給は、まず、コントロールユニット１２０がカートリッジ１１０とサブタンク１５０の接続部分に配設されたポンプを回転させ、その後、サブタンク１５０の供給バルブ１５５を開閉することにより行われる。まず、インクが所定量以下になると、前述したサブタンクインク貯留部１６０のインクロー検出センサ１６６Ｌにより、インクロー検出信号がコントロールユニット１２０に入力される。その際、コントロールユニット１２０は、インク供給指令を発し（Ｓ１）、インクの供給が必要なサブタンク１５０の供給バルブ１５５を開弁する（Ｓ２）。そして、図５に示すカートリッジ１１０からチューブ１７０を通じてサブタンク１５０にインクの吸引が行われ、インクが所定量以上になると、前述したサブタンクインク貯留部１６０のインクハイ検出センサ１６６Ｈにより、インクハイ検出信号がコントロールユニット１２０に入力される（Ｓ３）。その後、プリンタヘッド１００のノズルにインクの吸引が行われ（Ｓ４）、インクの吸引が完了した後、コントロールユニット１２０は供給バルブ１５５を閉弁し（Ｓ５）、インクの供給を完了する。
【００３２】
（初期インク充填時の制御）
上記通常のインク供給に対し、プリンタ装置Ｐの初期導入時、または供給バルブ１５５等が故障し部品交換をした直後等、プリンタヘッド１００のノズル、サブタンク１５０のインク貯留室１５３及びチューブ１７０等にインクが存在しない場合がある（以下、初期インク充填時とする）。このような、初期インク充填時の場合におけるインク供給について、図９、図１０、図１１を参照しながら説明する。なお、初期インク充填時におけるインク供給は、操作パネル１２１を手動で操作し、コントロールユニット１２０によりインク充填制御を実行する。図９は、初期インク充填時における操作パネル１２１（図８参照）上のウインドウ１２２の画面遷移を表す。図９に示したウインドウ１２２に表示される画面は、ボタン（メンテナンスボタン２０１等）、ウインドウ１２２に表示された入力操作可能な位置を示す下線や記号で表わされるカーソル２０３等で構成され、操作パネル１２１の各種移動ボタン（上移動ボタン１２７、左移動ボタン１２８、下移動ボタン１２９、右移動ボタン１３０）を押下しカーソル２０３を上下左右に移動させた後にエンターボタン１２５を押下することで、ウインドウ１２２に表示されたボタンの押下等の操作を実行する。また、図１０（ａ）は初期インク充填時のオペレータの操作のフローチャート、図１０（ｂ）は初期インク充填時のプリンタ装置Ｐのフローチャート、また、図１１は初期インク充填時におけるカートリッジ１１０のインク残量を模式的に表す図である。
【００３３】
まず、プリンタ装置Ｐのメイン電源をＯＮにした直後の状態において、図８のウインドウ１２２には、図９（ａ）に示すトップ画面が表示される。初期インク充填のようなメンテナンス作業を実施する場合には、図９（ａ）に表示されているメンテナンスボタン２０１を押下する。すると、図９（ｂ）のメンテナンス画面が表示され、初期インク充填時にはノズル選択吸引ボタン２０２を押下する（Ｓ１０１）。その後、ノズル選択画面図９（ｃ）が表示され、その後、以下に示す方法でインクを充填させるプリンタヘッド１００のノズルを選択する。
【００３４】
図９（ｃ）のノズル選択画面は、各プリンタヘッド１００をインク充填の対象とするか否か（以下、ＯＮ／ＯＦＦ状態とする）の操作が可能な位置を示すカーソル２０３、各プリンタヘッド１００のＯＮ／ＯＦＦ状態を表すノズルイメージ２０４等で構成されている。操作パネルの左移動ボタン１２８、右移動ボタン１３０を押下しカーソル２０３を左右に移動させ、操作パネルの上移動ボタン１２７、下移動ボタン１２９を押下することで、カーソル２０３により選択したノズルイメージ２０４のＯＮ／ＯＦＦ状態を切り替え、各ノズルのＯＮ／ＯＦＦ状態を決定していく（Ｓ１０２）。なお、図９（ｄ）に示すように、各ノズルがＯＮ状態の時にはアンダーラインの上部に各ノズルの色彩を表すＣ，Ｍ，Ｙ，Ｋの英字が表示され、ＯＦＦ状態の時にはアンダーラインのみが表示されたままの状態になっている。
【００３５】
上記のような操作でプリンタヘッド１００の選択が完了した後、図９（ｄ）における次へボタン２０５を押下すると、図９（ｅ）に示すノズル選択確認画面が表示される。ここで、選択したノズルを変更する場合は、戻るボタン２０６を押下すると、再び図９（ｄ）の画面が表示されノズルの選択が可能な状態になる。また図９（ｅ）の画面にてノズルの選択を変更しない場合は、インク供給開始ボタン２０７を押下し（Ｓ１０３）、対象ノズルへのインクの吸引を開始する。インクの吸引が開始された時点で、ウインドウ１２２には図９（ｆ）に示すインク吸引待ち画面が表示される。
【００３６】
上記のような操作を行い、インクの吸引が開始されると、コントロールユニット１２０にてインク吸引開始ボタン２０７が押下されたことを検知し、コントロールユニット１２０は、カートリッジ１１０とサブタンク１５０の接続部分にある図示しないポンプを回転させる（Ｓ２０１）。その後、コントロールユニット１２０は、選択されたノズルの数を算出し、算出したノズルの数から、前述したテーブル１８０に基づき（図１２参照）、計時時間を設定する（Ｓ２０２）。その後、計時を開始し（Ｓ２０３）、選択されたノズルのライン上にある供給バルブ１５５を開弁する（Ｓ２０４）。その後、カートリッジ１１０のインクが、チューブ１７０を介してサブタンク１５０により吸引され始める。こうして図１１（ｂ）に示すように、カートリッジ１１０のインクは、サブタンク１５０により吸引され、サブタンク１５０のインク貯留室１５３からプリンタヘッド１００のノズルまでがインクで満たされ、設定した計時時間が経過するまでインクの吸引が行われる。
【００３７】
上記のようにインクの吸引が行われ、計時時間が経過し（Ｓ２０５）選択した全てのプリンタヘッド１００のノズルにインクの供給が終了した後に、供給バルブ１５５を開いていないサブタンク１５０にも負圧がかかり逆流による混色を防ぐため、コントロールユニット１２０は、全ての供給バルブ１５５を所定時間開弁し、ハードクリーニングを実行する（Ｓ２０６）。なお、この際、図１１（ｃ）に示すように、全てのカートリッジ１１０のインクがハードクリーニングのために使用され若干量減少する。ハードクリーニングが終了した後、コントロールユニット１２０は、全ての供給バルブ１５５を閉弁し、選択したノズルへのインクの吸引が完了する（Ｓ１０４）。
【００３８】
選択したプリンタヘッド１００のノズルへのインクの吸引が完了すると、操作パネル１２１のウインドウ１２２には、図９（ｇ）のインク吸引完了画面が表示される。その後、トップ画面に戻るボタン２０８を押下することで、図９（ｈ）のトップ画面に遷移し、全ての初期インク充填が完了する。
【００３９】
以上、本実施形態においては、インク量をインクロー検出センサ１６６Ｌ、またはインクハイ検出センサ１６６Ｈにより検出する例について説明したが、これに限られることなく、例えば、カメラ等の撮影手段を内蔵し、この撮影手段によりインクの量を撮影することでインクの量を検出するようにしてもよい。
【００４０】
また、上述したように、本実施形態においては、初期インク充填時に、任意の供給バルブ１５５を開弁できるようにすることにより、選択したプリンタヘッド１００のノズルにのみインクを供給することができる。よって、供給バルブ１５５等の故障等が発生し、部品の交換をしたラインにのみインクを充填させたいような場合でも、全ての供給バルブ１５５を開弁することなく、交換した部品が存在するラインにのみ選択的にインクの吸引を行うことができるため、初期インク充填時に無駄となるインクを削減でき、インクを有効に活用することができる。
【００４１】
また、本実施形態においては、供給バルブ１５５が開弁し計時時間が経過した後に全てのサブタンク１５０の供給バルブ１５５を開弁し、プリンタヘッド１００のノズル等のハードクリーニングを実行することで、液体インクの供給による負圧状態が引き起こす逆流による混色を防ぐことができる。
【００４２】
上記実施形態では、本発明を適用したインクジェットプリンタの一例として、一軸印刷媒体移動、一軸プリンタヘッド移動タイプのＵＶ硬化インクジェットプリンタに適用した構成例について説明したが、本発明は他の形態のインクジェットプリンタ、例えば二軸プリンタヘッド移動タイプのインクジェットプリンタや、二軸印刷媒体移動タイプのインクジェットプリンタにも適用することができ、使用するインクについても染料系や顔料系など他の種類のインクを用いたインクジェットプリンタに適用することができる。
【図面の簡単な説明】
【００４３】
【図１】本発明の適用例として示すプリンタ装置の斜め前方からの外観斜視図である。
【図２】上記プリンタ装置の斜め後方からの外観斜視図である。
【図３】上記プリンタ装置における装置本体の要部構成を示す正面図である。
【図４】上記プリンタ装置におけるキャリッジ周辺の斜視図である。
【図５】インク供給系の配置系統図である。
【図６】上記キャリッジに設けられたサブタンクの外観斜視図である。
【図７】通常インク供給時におけるインク充填プログラムのフローチャートである。
【図８】上記プリンタ装置における操作パネルの模式図である。
【図９】初期インク充填時における操作パネルのウインドウに表示される操作画面の一例である。
【図１０】初期インク充填時におけるオペレータの操作、または上記プリンタ装置のインク供給プログラムのフローチャートである。
【図１１】初期インク充填時におけるカートリッジのインク量を表す図である。
【図１２】あらかじめ開放するバルブの数とバルブを開放する計時時間とを対応づけたテーブルの一例を示す図である。
【符号の説明】
【００４４】
Ｐ        プリンタ装置（インクジェットプリンタ）
１００    プリンタヘッド
１１０    カートリッジ
１２０    コントロールユニット
１２１    操作パネル
１２２    ウインドウ
１２５    エンターボタン
１２７    上移動ボタン
１２８    左移動ボタン
１２９    下移動ボタン
１３０    右移動ボタン
１５０    サブタンク
１５５    供給バルブ
【図１】
2010058339.tif 000003
【図２】
2010058339.tif 000004
【図３】
2010058339.tif 000005
【図４】
2010058339.tif 000006
【図５】
2010058339.tif 000007
【図６】
2010058339.tif 000008
【図７】
2010058339.tif 000009
【図８】
2010058339.tif 000010
【図９】
2010058339.tif 000011
【図１０】
2010058339.tif 000012
【図１１】
2010058339.tif 000013
【図１２】
2010058339.tif 000014